(57)【要約】【課題】大容量の記憶媒体を表示装置に搭載することなく、発表の流れが直感的に理解しやすい資料を保存する、あるいは印刷することが可能な画像表示装置を提供できるようにする。【解決手段】外部からの入力を受け付け、表示画像を生成して表示装置に表示するとともに、前記表示画像を画像情報として出力し、さらに前記出力した画像情報の表示順に基づいたレイアウト情報を生成して出力することにより、画像表示時の装置使用者の操作や各表示画像の発表時間など説明の流れを示す情報を残したり、会議の流れを直感的に把握したりできるようにする。【選択図】図１
2012255941.tif 000002
【特許請求の範囲】
【請求項１】
外部からの入力を受け付け、表示画像を生成する画像入力手段と、
前記画像入力手段により生成された表示画像を表示装置に表示する画像表示手段と、
前記画像入力手段により生成された表示画像を画像情報として出力する画像出力手段と、
前記画像出力手段により出力した画像情報の表示順に基づいたレイアウト情報を生成して出力するレイアウト情報生成手段と
を備えることを特徴とする画像表示装置。
【請求項２】
前記レイアウト情報生成手段は、外部に接続された装置に対して生成したレイアウト情報から、前記画像出力手段により出力された画像情報のレイアウトを指示することを特徴とする請求項１に記載の画像表示装置。
【請求項３】
前記画像出力手段での画像情報の出力先となる装置と、前記レイアウト情報生成手段でのレイアウト情報の出力先となる装置とが同一であることを特徴とする請求項１または２に記載の画像表示装置。
【請求項４】
前記画像入力手段に入力される画像へアクセスするためのアクセス情報検出手段を更に有し、
前記レイアウト情報生成手段は、前記アクセス情報検出手段によりアクセス情報が検出された場合、そのアクセス情報からレイアウト情報を生成することを特徴とする請求項１〜３の何れか１項に記載の画像表示装置。
【請求項５】
前記アクセス情報検出手段により検出されたアクセス情報が示す装置と、画像情報及びレイアウト情報の出力先となる装置とが同一であることを特徴とする請求項４に記載の画像表示装置。
【請求項６】
前記画像入力手段により生成された表示画像から画像情報を取得する画像情報取得手段を更に有し、
前記画像出力手段は、前記画像情報取得手段により取得された画像情報を出力先の装置に保存するように出力を行うことを特徴とする請求項３〜５の何れか１項に記載の画像表示装置。
【請求項７】
前記画像出力手段は、前記画像情報取得手段により取得された画像情報を印刷機能を有する装置に出力して印刷することを特徴とする請求項６に記載の画像表示装置。
【請求項８】
外部からの入力を受け付け、表示画像を生成する画像入力工程と、
前記画像入力工程において生成された表示画像を表示装置に表示する画像表示工程と、
前記画像入力工程において生成された表示画像を画像情報として出力する画像出力工程と、
前記画像出力工程において出力した画像情報の表示順に基づいたレイアウト情報を生成して出力するレイアウト情報生成工程と
を備えることを特徴とする画像表示方法。
【請求項９】
外部からの入力を受け付け、表示画像を生成する画像入力工程と、
前記画像入力工程において生成された表示画像を表示装置に表示する画像表示工程と、
前記画像入力工程において生成された表示画像を画像情報として出力する画像出力工程と、
前記画像出力工程において出力した画像情報の表示順に基づいたレイアウト情報を生成して出力するレイアウト情報生成工程と
をコンピュータに実行させることを特徴とするプログラム。
【請求項１０】
請求項９に記載のプログラムを記憶したことを特徴とするコンピュータ読み取り可能な記憶媒体。
【発明の詳細な説明】
【技術分野】
【０００１】
本発明は、画像表示装置及び画像表示方法に係り、特に、表示した画像を外部の装置に出力する画像表示装置及び画像表示方法に関する。
【背景技術】
【０００２】
近年、会議や発表会で、発表者は予め作成した資料をプロジェクタなどの画像表示装置で表示し、説明する機会が多くなっている。従来、プロジェクタに表示した画像を印刷する技術として、表示画像を装置使用者が選択して印刷する印刷機能付きプロジェクタが開示されている（特許文献１参照）。
【先行技術文献】
【特許文献】
【０００３】
【特許文献１】特開２００８−２７５７１４号公報
【発明の概要】
【発明が解決しようとする課題】
【０００４】
資料の発表の場では画像を切り替えながら説明する場合が多く、このような場合には資料を発表の流れに従って情報として保存する、あるいは印刷することで会議の議事録とすることで会議運営の効率化が期待できる。
【０００５】
しかしながら、前述した従来技術では、画像表示時の装置使用者の操作や各表示画像の発表時間など説明の流れを示す情報を残すことができず、会議の流れを把握するのに不便であるという問題点があった。
本発明は前述の問題点に鑑み、大容量の記憶媒体を表示装置に搭載することなく、発表の流れが直感的に理解しやすい資料を保存する、あるいは印刷することが可能な画像表示装置を提供できるようにすることを目的とする。
【課題を解決するための手段】
【０００６】
本発明の画像表示装置は、外部からの入力を受け付け、表示画像を生成する画像入力手段と、前記画像入力手段により生成された表示画像を表示装置に表示する画像表示手段と、前記画像入力手段により生成された表示画像を画像情報として出力する画像出力手段と、前記画像出力手段により出力した画像情報の表示順に基づいたレイアウト情報を生成して出力するレイアウト情報生成手段とを備えることを特徴とする。
【発明の効果】
【０００７】
本発明によれば、発表での説明の流れが直感的に理解しやすい資料の保存、及び印刷を自動で行うことができる画像表示装置を提供することが可能となる。
【図面の簡単な説明】
【０００８】
【図１】第１の実施形態における、画像表示装置の構成を示すブロック図である。
【図２】画像表示中の処理手順を示すフローチャートである。
【図３】装置使用者の操作情報を説明する図である。
【図４】画像データを記録として残すか否かの判定処理を説明するフローチャートである。
【図５】生成したレイアウト情報を出力する処理を説明するフローチャートである。
【図６】画像データの表示順と装置使用者の操作情報との関係を説明する概念図である。
【図７】画像データと各種データ、及びレイアウト情報を説明する概念図である。
【発明を実施するための形態】
【０００９】
（第１の実施形態）
以下、図面を参照しながら本発明の第１の実施形態を説明する。
図１は、本実施形態における画像表示装置１０１の構成例を示すブロック図である。
画像入力部１０２は、外部からの画像データを受け付け、画像情報取得部１０３へと画像データを出力する。画像データは、例えば、ＨＤＭＩやＤＶＩなどのケーブルから入力される映像信号データであってもよい。また、ＬＡＮケーブルやＵＳＢメモリから入力されるＪＰＥＧ圧縮など所定の圧縮が施された静止画データであってもよい。或いは、これらの内いずれかの画像データを切り替えて入力するようにしてもよい。
【００１０】
画像情報取得部１０３は、入力された画像が映像信号データの場合、一定のフレームレートでフレーム単位の静止画データを生成し、画像表示部１０４及び画像出力部１０９へ生成した画像データを出力する。また同様に、圧縮が施されたデータである場合は、データの復号処理を行い、同様に表示可能な静止画データを生成し、一定のフレームレートで画像表示部１０４及び画像出力部１０９へ生成した画像データを出力する。
【００１１】
画像表示部１０４は、入力された画像を装置使用者に表示する。
操作情報入力部１０５は、外部から装置使用者の操作情報を受け付け、画像出力部１０９へと出力する。装置使用者の操作情報は画像入力部１０２に入力された画像に対応する装置使用者の操作の情報である。操作情報に関しての詳細は後述する。
時刻管理部１０６は、画像表示装置１０１内で統一された時刻を管理する。
【００１２】
操作部１０７は、画像表示装置１０１に対する各種の装置使用者の操作を受け付ける。
アクセス情報検出部１０８は、画像入力部１０２にて入力される画像データが保存されている場所を特定する。例えば、画像入力部１０２にて入力される画像データがＬＡＮ内のファイルサーバや類似の機能を有する複合機、或いは外部のネットワーク上のＨＴＴＰサーバに記憶されているものであるならば、そのアクセスポイントとなるＵＲＬ情報を検出する。
【００１３】
画像出力部１０９は、入力された画像データを出力先に対応した所望の変換を行って、外部装置に出力を行う。例えば、出力先がＬＡＮ内のファイルサーバや類似の機能を有する複合機であるならばＪＰＥＧ圧縮など所定の変換を施し、出力する。外部装置は、画像表示装置１０１とＬＡＮを介して接続され、印刷機能やＬＡＮ内のファイルサーバ機能を有する。外部装置は、画像表示装置１０１からの画像データをファイルサーバ機能により蓄積したり、印刷したりする。
【００１４】
レイアウト情報生成部１１０は、画像出力部１０９から出力された画像情報等のレイアウト情報の生成を行い、外部装置に出力を行う。レイアウト情報は、画像出力部１０９から出力された画像情報、アクセス情報検出部１０８で検出されたアクセス情報、操作情報入力部１０５からの操作情報及び時刻管理部１０６からの時刻情報を元に生成される。詳細に関しては後述する。
以上が、本実施形態における画像表示装置１０１の構成例を示すブロック図の説明である。
【００１５】
次に、本実施形態における処理手順を説明する。
図２は、本実施形態において、画像表示装置１０１での画像表示中の処理手順を示すフローチャートである。
Ｓ２０１では、画像入力部１０２で入力した画像データを画像情報取得部１０３にて一定のフレームレートの静止画データに変換し、画像表示部１０４にて表示を行い、Ｓ２０２へ移行する。この時同様に、画像情報取得部１０３から画像出力部１０９へも画像データの出力が行われる。なお、図示を省略したが、画像データの入力が行われていない場合、画像表示装置１０１は自らブランキングを示す映像を生成し、画像表示部１０４に表示する。
【００１６】
Ｓ２０２では、アクセス情報検出部１０８は、入力された画像データの取得先となるアクセス情報が取得可能であるかどうか判断する。例えば、画像表示装置１０１が、ネットワーク上のファイルサーバに保存されているファイルを表示する場合は、そのアクセスポイントとなるＵＲＬ情報を使用してファイルにアクセスすることになる。その場合は検出可能と判断でき、Ｓ２０３へ移行する。一方で、入力された画像が映像信号データの場合、入力されるデータそのものが映像信号であるため、アクセス情報が含まれない。その場合、検出は不可能と判断でき、Ｓ２０４へ移行する。
【００１７】
Ｓ２０３では、アクセス情報検出部１０８は、入力された画像データの取得先となるアクセス情報を取得し、画像出力部１０９へ通知し、Ｓ２０４へ移行する。
Ｓ２０４では、画像出力部１０９は、入力された画像データを記録として残すか否かを判断する。画像データを記録として残すか否かの判定処理の詳細に関しては後述する。画像データを記録として残すと判断した場合は、Ｓ２０５へと移行する。残さないと判断した場合は、Ｓ２１２へと移行する。
【００１８】
Ｓ２０５では、画像表示装置１０１は、入力された画像データに関連する装置使用者の操作情報があるか否かを判断する。ここで装置使用者の操作情報とは、例えば、画像表示装置１０１に接続されたＰＣから操作情報入力部１０５にて受信される装置使用者の操作や、画像表示装置１０１が備える操作部１０７から入力される操作情報のことである。画像に対応する装置使用者の操作情報がある場合には、Ｓ２０６へと移行する。ない場合には、Ｓ２０７へと移行する。
【００１９】
ここで、装置使用者の操作情報に関して図３を用いて詳細に説明する。図３は、装置使用者の操作情報を示すテーブルであり、装置使用者のそれぞれの操作はコマンドＩＤとコマンドに対応する補助情報とで構成される。
【００２０】
図３（ａ）は、ＰＣ上でのスライド操作を示す。３０１は、ページ送りの操作情報を示しており、コマンドＩＤは１、補助情報として移動後のページ番号が付加される。３０２は、ページ戻しの操作情報を示しており、コマンドＩＤは２、補助情報として移動後のページ番号が付加される。３０３は、ジャンプの操作情報を示しており、コマンドＩＤは３、補助情報として移動後のページ番号が付加される。３０４は、スライド開始の操作情報を示しており、コマンドＩＤは４、補助情報として移動後のページ番号が付加される。３０５は、スライド終了の操作情報を示しており、コマンドＩＤは５、補助情報として移動後のページ番号が付加される。
【００２１】
図３（ｂ）は、ＰＣ上でのマウス操作、キーボード操作を示す。３０６は、マウスの右ボタンクリックの操作情報を示しており、コマンドＩＤ１１、補助情報１として操作時の座標位置、及び補助情報２として関連イベントが付加される。関連イベントとは、マウスの右ボタンクリックによって実行される作用を示しており、例えば、ＰＣ上で動作するマルチウィンドウシステムが生成するフォーカス移動、最小化、最大化、ウィンドウの移動などのイベントである。３０７は、マウスの左ボタンクリックの操作情報を示しており、コマンドＩＤ１２、補助情報１として操作時の座標位置、及び補助情報２として関連イベントが付加される。３０８は、マウスの移動の操作情報を示しており、コマンドＩＤ１３、補助情報１として操作時の座標位置、及び補助情報２として関連イベントが付加される。３０９は、キーボードのキー入力の操作情報を示しており、コマンドＩＤ１４、補助情報１として入力された文字コード、及び補助情報２として関連イベントが付加される。
【００２２】
図３（ｃ）は、画像表示装置１０１の操作部１０７から入力される装置使用者の操作を示す。３１０は、現在表示中の画像の拡大・縮小を行うための操作情報を示しており、コマンドＩＤ２１、補助情報として拡大位置、拡大サイズ、拡大率が付加される。３１１は、入力切り替えの操作情報を示しており、コマンドＩＤ２２、補助情報として入力種別が付加される。３１２は、フリーズやミュートの操作情報を示しており、コマンドＩＤ２３、補助情報は付加されない。
以上が、装置使用者の操作情報に関する説明である。
【００２３】
Ｓ２０６では、画像出力部１０９は、入力された画像データと装置使用者の操作情報との関連付けを行い、Ｓ２０７へと移行する。即ち、入力された画像データに対し、図３に記載されるようなコマンドＩＤとコマンドに対応する付加情報が関連付けされることになる。
Ｓ２０７では、画像出力部１０９は、入力された画像データと入力時刻との関連付けを行い、Ｓ２０８へ移行する。
【００２４】
Ｓ２０８では、画像出力部１０９は、アクセス情報が取得済みであるか否か判断する。即ち、Ｓ２０３にて、アクセス情報検出部１０８が入力された画像データの取得先となるアクセス情報を取得し、画像出力部１０９へ通知したかどうかを判断することになる。取得できていなければＳ２０９へ移行する。取得済みであればＳ２１０へ移行する。
【００２５】
Ｓ２０９では、画像出力部１０９は、入力された画像データの外部装置への出力を行い、Ｓ２１０へ移行する。この時、画像出力部１０９は、入力された画像データを出力先の装置に応じた形式で、例えばＪＰＥＧ圧縮などの変換を施し、出力することになる。
【００２６】
Ｓ２１０では、レイアウト情報生成部１１０は、記録として残す枚数が１ページにレイアウトする画像の枚数の倍数であるか否か判断する。１ページにレイアウトする画像の枚数とは、例えば印刷や表示の２ｉｎ１や６ｉｎ１の設定のように、１ページに配置する枚数を意味し、２ｉｎ１の場合２枚、６ｉｎ１の場合は６枚を意味する。記録として残す枚数が、１ページにレイアウトする画像の枚数の倍数である場合にはＳ２１１へ移行する。倍数ではない場合にはＳ２１２へ移行する。
【００２７】
Ｓ２１１では、レイアウト情報生成部１１０は、レイアウト情報を生成し、生成したレイアウト情報を外部装置へ出力し、Ｓ２１２へ移行する。なお、ここで生成し、出力するレイアウト情報は、最新の１ページにレイアウトする画像データに関するものである。例えば、１ページにレイアウトする画像の枚数が６枚であり、記録として残す画像データの枚数が既に１２枚となっている場合は、最初の６枚に関しては既にレイアウト情報が生成され、出力されている。したがって、最新であり、後の方の６枚の画像データに関するレイアウト情報が生成、出力されることになる。なお、レイアウト情報には、Ｓ２０９にて画像出力部１０９が出力した画像データに関する情報や、Ｓ２０３にてアクセス情報検出部１０８が取得したアクセス情報等が含まれる。詳細に関しては後述する。
【００２８】
Ｓ２１２では、画像表示装置１０１は、装置使用者が画像表示装置１０１の使用を終了したか否か判断する。画像表示装置１０１の使用を終了した場合には、Ｓ２１３へ移行する。終了していない場合には、Ｓ２０１へ移行する。即ち、装置使用者が画像表示装置１０１を使用中、Ｓ２０１からＳ２１２の処理を繰り返し処理することになる。なお、装置使用者が画像表示装置１０１の使用を終了したか否かの判断には、装置使用者の所定の操作、例えば画像表示装置１０１の電源をオフする等の操作で判断することが可能である。
【００２９】
Ｓ２１３では、レイアウト情報生成部１１０は、レイアウト情報を出力していない画像データに関する情報やアクセス情報があるかどうか判断する。レイアウト情報を出力していない画像データに関する情報やアクセス情報がある場合は、Ｓ２１４へ移行する。レイアウト情報を出力していない画像データに関する情報やアクセス情報がない場合は、処理を終了する。
【００３０】
Ｓ２１４では、Ｓ２１１と同様に、レイアウト情報生成部１１０は、レイアウト情報を生成し、生成したレイアウト情報を外部装置へと出力し、処理を終了する。即ち、装置使用者が画像表示装置１０１の使用を終了したと判断された場合、レイアウト情報を出力していない画像データに関する情報やアクセス情報があるならば、その情報に関するレイアウト情報を出力し、処理を終了することになる。
以上が、本実施形態において、画像表示装置１０１での画像表示中の処理手順を示すフローチャートの説明である。
【００３１】
次に、Ｓ２０４における画像データを記録として残すか否かの判定処理について詳細に説明する。
図４は、Ｓ２０４における画像データを記録として残すか否かの判定処理の内容を説明するフローチャートである。
Ｓ４０１では、入力された画像データに関連する装置使用者の操作情報があるか否かを判断する。関連する装置使用者の操作情報がある場合には、Ｓ４０２へ移行する。操作情報がない場合には、Ｓ４０５へ移行する。
【００３２】
Ｓ４０２では、装置使用者の操作情報が画面切り替えに関するものであるか否かを判断する。画面切り替えに関する装置使用者の操作とは、例えば図３のページ送り、ページ戻し、ジャンプ、入力切り替え、スライドの開始やスライドの終了など装置使用者が明示的に表示画面を切り替える操作である。これは、例えば、画像表示装置１０１内に予めコマンドＩＤテーブルとして保持し、装置使用者の操作情報のコマンドＩＤとテーブル内のコマンドＩＤが一致するか否かで判断できる。また、外部のＰＣ上で画像データの送信に合わせてスライド操作を送信できない場合には、マウス操作による右クリック操作、或いはキー操作のＥｎｔｅｒキー入力を画面切り替えの操作と判断するようにしてもよい。装置使用者の操作が画面切り替えに関するものである場合は、Ｓ４０４へ移行する。画面切り替えに関するものでない場合は、Ｓ４０３へ移行する。
【００３３】
Ｓ４０３では、入力された画像データの入力時刻と直前に入力した画像データの入力時刻との差分が閾値以上であるか否か判断する。閾値は、画像表示装置１０１で予め定義した数値であり、例えば、１分などである。直前に入力した画像データの入力時刻との差分が閾値以上の場合はＳ４０４へ移行する。閾値より小さい場合はＳ４０６へ移行する。
Ｓ４０４では、入力された画像データは記録に残す画像データであると判断し、処理を終了する。
【００３４】
Ｓ４０５では、入力された画像データと直前に入力された画像データとの差分が閾値以上であるか否かを判断する。閾値は画像表示装置１０１で予め定義した数値であり、例えば１０％などである。画像データ間の差分は、各画像データを水平、垂直方向に走査した時の同一座標に位置する画素値が一致するか否かを判断し、画像データの総画素数に対する不一致の画素数の割合を算出することで求めることができる。入力された画像データと直前に入力された画像データとの差分が閾値以上の場合は、Ｓ４０４へ移行する。差分が閾値より小さい場合にはＳ４０６へ移行する。
Ｓ４０６では、入力された画像データは記録に残さない画像データであると判断し、処理を終了する。
以上が、Ｓ２０４における画像データを記録として残すか否かの判定処理の説明である。
【００３５】
次に、Ｓ２１１において、レイアウト情報生成部１１０がレイアウト情報を生成し、生成したレイアウト情報を外部装置へと出力する処理について詳細に説明する。
図５は、Ｓ２１１において、レイアウト情報生成部１１０がレイアウト情報を生成し、生成したレイアウト情報を外部装置へと出力する処理を説明するフローチャートである。
【００３６】
Ｓ５０１では、記録として残す画像データの関連情報を取得し、Ｓ５０２へ移行する。関連情報には、Ｓ２０３で取得したアクセス情報、Ｓ２０６で関連付けられた装置使用者の操作情報、Ｓ２０７で関連付けられた入力時刻があげられる。
Ｓ５０２では、関連情報を入力時刻に基づき昇順にソートし、Ｓ５０３へ移行する。
Ｓ５０３では、変数Ｘに１を、変数Ｙにレイアウトする画像データの枚数をセットし、Ｓ５０４へ移行する。例えば、１ページに６枚を配置する６ｉｎ１の場合、変数Ｙに６がセットされることになる。
【００３７】
Ｓ５０４では、Ｘ番目の画像データの関連情報を取得し、Ｓ５０５へ移行する。
Ｓ５０５では、取得したＸ番目の画像データの関連情報に、装置使用者の有効な操作情報が含まれるか否か判断する。有効な操作情報が含まれる場合は、Ｓ５０６へ移行する。含まれない場合は、Ｓ５０７へ移行する。
Ｓ５０６では、取得した関連情報から装置使用者の操作情報を表すグラフィックスデータを生成し、Ｓ５０７へ移行する。
Ｓ５０７では、記録として残す画像データの表示時間を算出し、Ｓ５０８へ移行する。
Ｓ５０８では、算出した表示時間を表すグラフィックスデータを生成し、Ｓ５０９へ移行する。
Ｓ５０９では、変数Ｘを１増加させ、Ｓ５１０へ移行する。
【００３８】
Ｓ５１０では、変数Ｘと変数Ｙを比較し、変数Ｘに変数Ｙより大きな値がセットされているか否か判断する。変数Ｘに変数Ｙより大きな値がセットされているならばＳ５１１へ移行する。そうでなければＳ５０４へ移行する。即ち、Ｓ５０４からＳ５１０の処理を繰り返すことにより、１ページにレイアウトされる複数の画像データに対する操作情報と表示時間を表すグラフィックスデータを生成することになる。
【００３９】
Ｓ５１１では、記録として残す画像データのアクセス情報とグラフィックスデータを合成したレイアウト情報を生成し、Ｓ５１２へ移行する。なおここでのアクセス情報には、Ｓ２０３にて検出した、元々画像データが保存されていた場所を示すアクセス情報と、Ｓ２０９にて画像データを出力した外部装置の保存先を表すアクセス情報を意味する。
Ｓ５１２では、生成したレイアウト情報を外部の装置に出力し、処理を終了する。
以上が、Ｓ２１１において、レイアウト情報生成部１１０がレイアウト情報を生成し、生成したレイアウト情報を外部装置へと出力する処理の説明である。
【００４０】
ここで、装置使用者の操作情報と画像データの表示時間を表すグラフィックスデータ、及びレイアウト情報に関して図６、及び図７を用いて詳細に説明する。
図６は、画像データの表示順とその画像に関連付けされた装置使用者の操作情報との関係を説明する概念図である。
【００４１】
図６（ａ）は、発表時に表示した資料の流れを示す図である。図６（ａ）において、６０１、６０２、６０３は資料１の画像データである。６０４、６０５、６０６は資料２の画像データである。図６（ａ）中の矢印は、発表時に表示した画像データの表示順番及び関連する装置使用者の操作情報である。
【００４２】
なお、資料１は、ＨＤＭＩケーブル接続による映像信号データの入力をキャプチャし、表示する。したがって、Ｓ２０３にてアクセス情報の取得ができない入力が画像であり、そのためＳ２０９にてＬＡＮ上に存在するファイルサーバに画像データの出力が行われることになる。一方、資料２はＬＡＮ上に存在するファイルサーバに保存されているファイルを取得し、表示することを示している。即ち、Ｓ２０３にてアクセス情報の取得が可能であり、Ｓ２０９の画像データのファイルサーバへの出力が省略されることになる。なお本実施形態では、サーバ名「ａａａ．ｃｏ．ｊｐ」に保存されているファイル名「ａａａ．ａｓｐ」を表示することを示している。
【００４３】
６０１は、装置使用者の表示スライドショーの開始操作によって表示された画像データである。６０４は、画像データ６０１を表示中に、装置使用者の入力切り替え操作によって表示された画像データである。６０５は、画像データ６０４を表示中に、装置使用者のページ送り操作によって表示された画像データである。６０６は、画像データ６０５を表示中に、装置使用者のページ送り操作によって表示された画像データである。６０２は、画像データ６０６を表示中に、装置使用者の入力切り替え操作によって表示された画像データである。６０３は、画像データ６０２を表示中に、装置使用者からのページ送り操作によって表示された画像データである。
【００４４】
図６（ｂ）は、図６（ａ）に示した順番で画像を表示した場合に、各画像データと各画像に関連付けられた情報を示すテーブルである。６０７は、画像データ６０１を示しており、画像出力部１０９で画像番号１とし、入力時刻１３：００：００と装置使用者の操作情報として表示開始が関連付けられて管理される。６０８から６１２も同様に画像データと入力時刻及び装置使用者の操作情報が関連付けられて管理される。
以上が、画像データの表示順とその画像に関連付けされた装置使用者の操作情報との関係についての説明である。
【００４５】
図７は、図６で説明した画像データの表示順とその画像に関連付けされた装置使用者の操作情報から、外部装置に出力される画像データと各種グラフィックスデータ、及びレイアウト情報を説明する概念図である。図６で説明した画像データと同一の画像には同一の符号を付加している。
【００４６】
図７（ａ）は、図６の資料１の画像データであり、Ｓ２０９にてＬＡＮ上に存在するファイルサーバ、ここではサーバ名「ｂｂｂ．ｃｏ．ｊｐ」にファイル名「ｂｂｂ．ａｓｐ」として保存するように出力が行われることを示している。
【００４７】
図７（ｂ）は、Ｓ２１１にて生成し、出力されるレイアウト情報の概念であり、Ｓ５０６で生成された装置使用者の操作情報、及びＳ５０８で生成された表示時間を表すグラフィックスデータを含む。なお、図示を省略したが、実際のレイアウト情報はテキストベースであり、ＨＴＭＬ形式等で記載されることになる。また、本実施形態では、１ページに６枚の画像を配置する６ｉｎ１のレイアウト情報を例にして説明する。
【００４８】
７０１は、装置使用者の操作情報を表すグラフィックスデータの例であり、画像データ７０３が装置使用者の入力切り替えの操作に伴い表示された画像であることを示す。図７（ｂ）では、入力切り替えの操作に伴った表示画像の切り替えを点線矢印の図形データで、ページ送りの操作に伴った表示画像の切り替えを実線矢印の図形データで表現している。
【００４９】
装置使用者の操作情報を表すグラフィックスデータは、テキストデータや矢印のような図形データに限定されるものではなく、例えば、各種の操作を示すアイコン画像を定義し、その画像を重畳するようにしてもよい。また、画像データ上にグラフィックスデータを重畳するようにしてもよいし、画像データに重ならないように、重畳する位置やサイズをページの余白部範囲内に収めるようにしてもよい。
【００５０】
７０２、７０３は、画像データの表示時間を表すグラフィックスデータの例であり、表示時間に応じて各画像データを縁取る枠線を描画している。この枠線は、所定の表示時間単位で線幅を所定ピクセルずつ大きく設定する。例えば、０分以上１分未満の表示時間の画像データには線幅のピクセル数を１とし、１分以上２分未満の表示時間の画像データには線幅のピクセル数を２とするように、表示時間の増加にあわせて先幅のピクセル数を増加させて描画する。
【００５１】
また、７０２は、ファイルサーバ「ｂｂｂ．ｃｏ．ｊｐ」に保存されているファイル名「ｂｂｂ．ａｓｐ」の１ページ目の画像データを表している。即ち、Ｓ２０９にてＬＡＮ上に存在するファイルサーバに出力された画像データである。同様に７０３は、ファイルサーバ「ａａａ．ｃｏ．ｊｐ」に保存されているファイル名「ａａａ．ａｓｐ」の１ページ目の画像データを表している。即ち、本実施形態では、予めＬＡＮ上のファイルサーバに保存されているファイルであり、Ｓ２０３にてアクセス情報の取得が行われた画像データを表している。
【００５２】
図７（ｃ）は、外部装置において、図７（ｂ）に示されたレイアウト情報を元に、各種画像データの取得を行い、各種グラフィックスデータと合成した結果を示している。
以上が、図６で説明した画像データの表示順とその画像に関連付けされた装置使用者の操作情報から、外部装置に出力される画像データと各種グラフィックスデータ、及びレイアウト情報についての説明である。
【００５３】
なお、本実施形態では、レイアウト情報の生成、出力を１ページに配置する画像データがそろったタイミングで生成、出力するようにしているが、すべての画像データの表示が終了した際に一括で生成、出力するようにしてもよい。
また、本実施形態では、記録として残す画像、及びレイアウト情報を外部装置に出力する旨記載しているが、これらの画像や情報は、個別の外部装置に出力してもよいし、同一の装置に出力してもよいことは言うまでもない。また、出力先をファイルサーバのようなデータを保存する装置だけではなく、印刷機能を有するプリンタに出力してもよい。その場合、プリンタはレイアウト情報に基づいて他のファイルサーバ、或いは内蔵する記憶媒体に記憶されている画像データをアクセス取得し、プリンタで合成して印刷してもよい。
【００５４】
また、画像表示装置１０１にて表示する画像情報が、複合機のスキャナで読み取られ、複合機内に保存されている情報であってもよい。その場合、画像表示装置１０１でのレイアウト情報の出力先に同一の複合機を指定することで、複合機に保存されている高解像度の画像情報を使用することで、印刷時の画質向上が図れるという効果が期待できる。
【００５５】
（その他の実施形態）
本発明の目的は、第１の実施形態の機能を実現するソフトウェアのプログラムコードを記録した記録媒体を、システムあるいは装置に供給し、記録媒体に格納されたプログラムコードを読み出し、実行することによっても達成される。この場合、記録媒体から読み出されたプログラムコード自体が前述した実施形態の機能を実現することとなり、そのプログラムコードを記録したコンピュータ読み取り可能な記憶媒体は本発明を構成することになる。
【００５６】
プログラムコードを供給するための記録媒体としては、例えば、ハードディスク、光ディスク、ＣＤ、磁気テープ、メモリカード、ＤＶＤ等を用いることができる。また、コンピュータが読み出したプログラムの指示に基づき、コンピュータ上で稼動しているＯＳ等が処理の一部又は全部を行い、その処理によって前述した実施形態の機能が実現される場合も含まれる。
【００５７】
さらに、記録媒体から読み出されたプログラムコードが、コンピュータに挿入された機能拡張ボードやコンピュータに接続された機能拡張ユニットに備わるメモリに書きこまれる。その後、そのプログラムの指示に基づき、その機能拡張ボードや機能拡張ユニットに備わるＣＰＵなどが処理の一部又は全部を行い、その処理によって前述した実施形態の機能が実現される場合も含まれる。
【符号の説明】
【００５８】
１０１  画像表示装置、１０２  画像入力部、１０３  画像情報取得部、１０４  画像表示部、１０５  操作情報入力部、１０６  時刻管理部、１０７  操作部、１０８  アクセス情報検出部、１０９  画像出力部、１１０  レイアウト情報生成部
【図１】
2012255941.tif 000003
【図２】
2012255941.tif 000004
【図３】
2012255941.tif 000005
【図４】
2012255941.tif 000006
【図５】
2012255941.tif 000007
【図６】
2012255941.tif 000008
【図７】
2012255941.tif 000009